(57)【要約】【課題】石膏ボード等の対象物を螺子締めして取り付ける場合の螺子穴を保護する螺子穴保護具を提供する。【解決手段】野縁部材１に石膏ボード等の天井パネル８を螺子部材９によって取り付ける際、螺子部材９によって天井パネル８に形成される螺子穴８Ａを保護して天井パネル８の脱落を防ぐ螺子穴保護具14であって、螺子穴保護具14は、金属製の板材からなる保護具本体15と、保護具本体15に形成され、螺子部材９の螺子軸10が挿通可能な貫通部16と、保護具本体15を天井パネル８へ係止する係止部17とを備える。【選択図】図１
0003203818.tif 000002
【実用新案登録請求の範囲】
【請求項１】
建築物の枠体に石膏ボード等の対象物を螺子部材によって取り付ける際、前記螺子部材によって前記対象物に形成される螺子穴を保護して前記対象物の脱落を防ぐ螺子穴保護具であって、
前記螺子穴保護具は、金属製の板材からなる保護具本体と、前記保護具本体に形成され、前記螺子部材の螺子軸が挿通可能な貫通部と、前記保護具本体を前記対象物へ係止する係止部とを備えたことを特徴とする螺子穴保護具。
【請求項２】
前記螺子穴保護具は、前記貫通部の周辺に前記螺子部材の螺子頭部が係合可能な係合部を備えたことを特徴とする請求項１記載の螺子穴保護具。
【請求項３】
前記螺子頭部を前記係合部に係合させた状態で、前記螺子頭部を前記保護具本体の上面から非突出状態であることを特徴とする請求項２記載の螺子穴保護具。
【請求項４】
前記螺子部材は、皿型の頂部を有する螺子頭部と、螺子軸と、前記螺子軸の基端側をラッパ状に拡開した頸部とを備え、
前記螺子穴保護具は、前記貫通部の周辺を下向きラッパ状とし、前記頸部を係合可能な係合部を備えたことを特徴とする請求項１記載の螺子穴保護具。
【請求項５】
前記頸部を前記係合部に係合させた状態で、前記頂部を前記保護具本体の上面から非突出状態であることを特徴とする請求項４記載の螺子穴保護具。
【請求項６】
前記建築物の枠体に前記対象物を前記螺子穴保護具を介して前記螺子部材によって取り付けた状態で、
前記係止部とともに前記係合部の下端が前記対象物に接触して前記螺子穴保護具を保持可能に備えたことを特徴とする請求項２〜４のいずれか１項に記載の螺子穴保護具。
【請求項７】
前記係止部は、前記保護具本体の周縁を折り曲げ部で略直角に折り曲げたことを特徴とする請求項１〜６のいずれか１項に記載の螺子穴保護具。
【請求項８】
前記係止部は、前記保護具本体に形成されたＶ字状の切溝に囲まれた箇所を略直角に折り曲げたことを特徴とする請求項１〜７のいずれか１項に記載の螺子穴保護具。
【請求項９】
前記係止部は、頂角を直角又は鋭角とする二等辺三角形としたことを特徴とする請求項１〜８のいずれか１項に記載の螺子穴保護具。
【請求項１０】
前記係止部は、前記保護具本体に対して互いに等間隔を有して備えたことを特徴とする請求項１〜９のいずれか１項に記載の螺子穴保持具。
【請求項１１】
前記係止部の前記保護具本体からの突出量は、前記対象物の厚さより短いことを特徴とする請求項１〜１０のいずれか１項に記載の螺子穴保護具。
【請求項１２】
前記係止部の前記保護具本体からの突出量は、前記係合部の前記保護具本体からの突出量より大きいことを特徴とする請求項１〜１１のいずれか１項に記載の螺子穴保護具。
【請求項１３】
前記螺子部材の螺子軸の外周に弾性部材を備えたことを特徴とする請求項１〜１２のいずれか１項に記載の螺子穴保護具。
【考案の詳細な説明】
【技術分野】
【０００１】
本考案は、天井等を構成する枠材に螺子部材を介して石膏ボード等を取付ける場合に適した螺子穴保護具に関するものである。
【背景技術】
【０００２】
従来、建築物の内装仕上げ材または下地材として、軽量で不燃性にして、遮音性、断熱性に優れた石膏ボードが多用されている。そして、この石膏ボードを使用して、天井仕上げ等を行う場合、鋼板性の野縁部材等に対して、くぎ打ちや螺子締め等の方法により固定されている（特許文献１）。
【先行技術文献】
【特許文献】
【０００３】
【特許文献１】特開２０１５−３０９８９号公報
【考案の開示】
【考案が解決しようとする課題】
【０００４】
しかし、従来石膏ボードを螺子締めによって固定する方法では、地震等において、野縁材と石膏ボードが相互に異なる揺れ方をすると、野縁部材と石膏ボードを固定している螺子部材に力がかかり、強度の低い石膏ボードの螺子穴が破損してしまい、石膏ボードを螺子締めすることができなくなり、石膏ボードが脱落してしまう虞があるという問題点があった。
【０００５】
解決しようとする問題点は、石膏ボード等の対象物を螺子締めして取り付ける場合の螺子穴を保護する螺子穴保護具を提供する点である。
【課題を解決するための手段】
【０００６】
請求項１の考案は、建築物の枠体に石膏ボード等の対象物を螺子部材によって取り付ける際、前記螺子部材によって前記対象物に形成される螺子穴を保護して前記対象物の脱落を防ぐ螺子穴保護具であって、前記螺子穴保護具は、金属製の板材からなる保護具本体と、前記保護具本体に形成され、前記螺子部材の螺子軸が挿通可能な貫通部と、前記保護具本体を前記対象物へ係止する係止部とを備えたことを特徴とする。
【０００７】
請求項２の考案は、前記螺子穴保護具は、前記貫通部の周辺に前記螺子部材の螺子頭部が係合可能な係合部を備えたことを特徴とする。
【０００８】
請求項３の考案は、前記螺子頭部を前記係合部に係合させた状態で、前記螺子頭部を前記保護具本体の上面から非突出状態であることを特徴とする。
【０００９】
請求項４の考案は、前記螺子部材は、皿型の頂部を有する螺子頭部と、螺子軸と、前記螺子軸の基端側をラッパ状に拡開した頸部とを備え、前記螺子穴保護具は、前記貫通部の周辺を下向きラッパ状とし、前記頸部を係合可能な係合部を備えたことを特徴とする。
【００１０】
請求項５の考案は、前記頸部を前記係合部に係合させた状態で、前記頂部を前記保護具本体の上面から非突出状態であることを特徴とする。
【００１１】
請求項６の考案は、前記建築物の枠体に前記対象物を前記螺子穴保護具を介して前記螺子部材によって取り付けた状態で、前記係止部とともに前記係合部の下端が前記対象物に接触して前記螺子穴保護具を保持可能に備えたことを特徴とする。
【００１２】
請求項７の考案は、前記係止部は、前記保護具本体の周縁を折り曲げ部で略直角に折り曲げたことを特徴とする。
【００１３】
請求項８の考案は、前記係止部は、前記保護具本体に形成されたＶ字状の切溝に囲まれた箇所を略直角に折り曲げたことを特徴とする。
【００１４】
請求項９の考案は、前記係止部は、頂角を直角又は鋭角とする二等辺三角形としたことを特徴とする。
【００１５】
請求項１０の考案は、前記係止部は、前記保護具本体に対して互いに等間隔を有して備えたことを特徴とする。
【００１６】
請求項１１の考案は、前記係止部の前記保護具本体からの突出量は、前記対象物の厚さより短いことを特徴とする。
【００１７】
請求項１２の考案は、前記係止部の前記保護具本体からの突出量は、前記係合部の前記保護具本体からの突出量より大きいことを特徴とする。
【００１８】
請求項１３の考案は、前記螺子部材の螺子軸の外周に弾性部材を備えたことを特徴とする。
【考案の効果】
【００１９】
請求項１の考案によれば、係止部によって螺子穴保護具が対象物に固定されることで、螺子穴保護具を介して螺子部材と対象物とが一体的となり、地震等の揺れによって螺子部材に対して相対的に強度の低い対象物が揺れて螺子部材によって螺子穴が削られて破損して、対象物が脱落してしまうのを防ぐことができる。
【００２０】
請求項２の考案によれば、螺子頭部が係合部に係合することで、螺子穴保護具と螺子部材とがより一層一体的となり、この螺子穴保護具を介して対象物と螺子部材がさらに一体的となるので、地震等の揺れに対しての螺子部材と対象物との間の動きをさらに規制して、螺子部材に対して相対的に強度の低い対象物が揺れて螺子部材によって螺子穴が削られて破損するのを防ぐことができる。
【００２１】
請求項３の考案によれば、建築物の枠体に螺子部材を介して石膏ボード等の対象物を螺子部材によって取り付ける際、螺子部材の螺子頭部が目立たず、美観が向上するとともに、対象物の表面に装飾用の布やパネルを張り付ける際の作業性と仕上がりが向上する。
【００２２】
請求項４の考案によれば、頸部が係合部に係合することで、螺子穴保護具と螺子部材とがより一層一体的となり、この螺子穴保護具を介して対象物と螺子部材がさらに一体的となるので、地震等の揺れに対しての螺子部材と対象物との間の動きをさらに規制して、螺子部材に対して相対的に強度の低い対象物が揺れて螺子部材によって螺子穴が削られて破損するのを防ぐことができる。
【００２３】
請求項５の考案によれば、建築物の枠体に螺子部材を介して石膏ボード等の対象物を螺子部材によって取り付ける際、螺子部材の螺子頭部が目立たず、美観が向上するとともに、対象物の表面に装飾用の布やパネルを張り付ける際の作業性と仕上がりが向上する。
【００２４】
請求項６の考案によれば、係止部と係合部の下端とで螺子穴保護具を保持することで、螺子穴保護具の安定性が向上して、螺子部材と対象物の一体化がさらに図れる。
【００２５】
請求項７の考案によれば、係止部を簡単に加工することができる。
【００２６】
請求項８の考案によれば、係止部を簡単に加工することができるとともに、係止部を保護具本体の外周より内側に収めることができるので、コンパクトな螺子穴保護具を提供することができる。
【００２７】
請求項９の考案によれば、係止部を対象物に食い込みやすい形状をすることで、係止部による対象物への係止を容易にすることができる。
【００２８】
請求項１０の考案によれば、係止部による荷重を分散させ、対象物の破損を防ぐことができる。
【００２９】
請求項１１の考案によれば、係止部が対象物を突き抜けて建築物の枠体に干渉し、螺子穴保護具が対象物から浮き上がるのを防ぎ、螺子穴保護具を対象物に強固に固定することができる。
【００３０】
請求項１２の考案によれば、係止部を対象物に十分食い込ませことができ、螺子穴保護具を対象物に強固に固定することができる。
【００３１】
請求項１３の考案によれば、簡単な構成でも、地震等の揺れによって螺子部材に対して相対的に強度の低い対象物が揺れて螺子穴が破損して、対象物が脱落してしまうのを防ぐことができる。
【図面の簡単な説明】
【００３２】
【図１】本考案の第１実施例を示す吊り天井構造の断面図である。
【図２】同上、図１の要部拡大断面図である。
【図３】同上、螺子穴保護具の斜視図である。
【図４】同上、螺子穴保護具の平面図である。
【図５】同上、図５（Ａ）〜図５（Ｄ）は螺子穴保護具の別の実施形態を示す平面図である。
【図６】同上、別の実施形態を示す要部拡大図である。
【図７】同上、図６において螺子部材を螺子込んだ状態を示す拡大断面図である。
【図８】本考案の第２実施例を示す吊り天井構造の要部拡大図である。
【図９】本考案の第３実施例を示す吊り天井構造の要部拡大断面図である。
【図１０】同上、螺子穴保護具の斜視図である。
【図１１】同上、螺子穴保護具の平面図である。
【図１２】本考案の第４実施例を示す吊り天井構造の要部拡大断面図である。
【図１３】同上、螺子穴保護具の斜視図である。
【図１４】同上、螺子穴保護具の平面図である。
【考案を実施するための形態】
【００３３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００３４】
以下、本考案の実施例１について図１〜図７を参照して説明する。本実施例の吊り天井構造の一例を図１に示すと、断面略Ｃ形状の溝形鋼からなる複数の野縁部材１と、上部構造体としてのコンクリート下地等の上階床スラブ２や屋根構造物より垂設された垂設部材としての吊りボルト３に金属板を略Ｓ型形状に折り曲げ形成したハンガー等の吊り下げ手段４を介して接続された断面略Ｃ形状の形鋼からなる野縁受け部材５とを、野縁保持具６を介して互いに直交させて一体化して天井下地材としての格子体７を形成し、野縁部材１の下面１Ａに石膏ボード、コンパネ等の板材からなる天井パネル８を螺子部材９によって取り付けて構成するものである。
【００３５】
天井パネル８の固定に使用される螺子部材９として、螺子軸10の先端側をテーパ状に先細りにして先の尖った形状とし、螺子軸10の基端側をラッパ状に拡開される頸部11を有すると共に皿型の頂部面12を形成した螺子頭部13を備え、螺子軸10に螺子山を形成してなるタッピンねじが用いられる。
【００３６】
そして、螺子部材９と天井パネル８との間には、螺子穴保護具14が設けられている。螺子穴保護具14は、金属製の薄板材を円盤状に形成した保護具本体15と、保護具本体15に形成され、螺子部材９の螺子軸10が挿通可能な貫通部16と、保護具本体15の周囲に形成された係止部17とを備えた座金である。
【００３７】
螺子穴保護具14は、貫通部16の周辺の保護具本体15に下向きラッパ状に拡開して、頸部11が係合可能な係合部18を形成している。そして、頸部11を係合部18に係合させた状態で、頂部面12を保護具本体15の上面15Ａから非突出状態としている。係止部17は、保護具本体15の周縁に所定間隔を空けて設けた複数の頂角を直角又は鋭角とする二等辺三角形状の突出片の突出片を折り曲げ部17Ａで垂直下向きに折り返した突起部となっている。
【００３８】
尚、係止部17の保護具本体15の下面15Ｂからの突出量Ｌ１は、係合部18の保護具本体15の下面15Ｂからの突出量Ｌ２より大きく形成されている（Ｌ１＞Ｌ２）。
【００３９】
また、係止部17の突出量Ｌ１は、天井パネル８の厚みＴより小さく形成されている（Ｌ１＜Ｔ）。
【００４０】
以上の構成について、本実施例の螺子穴保護具14の使用方法は、螺子部材９の螺子軸10を螺子穴保護具14の貫通部16に挿通させて、天井パネル８に螺子部材９を螺子込んでいき、野縁部材１の下面１Ａを螺子軸10で貫通させて、螺子部材９を介して天井パネル８と野縁部材１とを螺子止めする。
【００４１】
ここで、螺子部材９を天井パネル８に螺子込んでいくと、螺子軸10の頸部11が係合部18に係合していき、係止部17が天井パネル８に食い込んでいき、螺子部材９が螺子穴保護具14を介して天井パネル８と一体化する。さらに、螺子部材９を天井パネル８に螺子込んでいくと、係止部17がさらに天井パネル８に食い込んでいくと共に、係合部18の下端も天井パネル８に当接して、係合部18も天井パネル８に食い込み、螺子部材９の頂部面12が保護具本体15の上面15Ａから非突出状態となる。
【００４２】
以上のように本実施例では、建築物の枠体である野縁部材１に石膏ボード等の対象物である天井パネル８を螺子部材９によって取り付ける際、螺子部材９によって天井パネル８に形成される螺子穴８Ａを保護して天井パネル８の脱落を防ぐ螺子穴保護具14であって、螺子穴保護具14は、金属製の板材からなる保護具本体15と、保護具本体15に形成され、螺子部材９の螺子軸10が挿通可能な貫通部16と、保護具本体15を天井パネル８へ係止する係止部17とを備えたことにより、係止部17によって螺子穴保護具14が天井パネル８に固定されることで、螺子穴保護具14を介して螺子部材９と天井パネル８とが一体的となり、地震等の揺れによって螺子部材９に対して強度の低い天井パネル８が揺れて螺子穴８Ａが破損して、天井パネル８が脱落してしまうのを防ぐことができる。
【００４３】
また、本実施例では、螺子穴保護具14は、貫通部16の周辺に螺子部材９の螺子頭部13が係合可能な係合部18を備えたことにより、螺子頭部13が係合部18に係合することで、螺子穴保護具14と螺子部材９とがより一層一体的となり、この螺子穴保護具14を介して天井パネル８と螺子部材９がさらに一体的となるので、地震等の揺れに対しての螺子部材９と天井パネル８との間の動きをさらに規制して、螺子部材９に対して相対的に強度の低い天井パネル８が揺れて螺子部材９によって螺子穴８Ａが削られて破損するのを防ぐことができる。
【００４４】
また、本実施例では、螺子頭部13を係合部18に係合させた状態で、螺子頭部13を保護具本体15の上面15Ａから非突出状態とすることにより、野縁部材１に螺子部材９を介して石膏ボード等の天井パネル８を螺子部材９によって取り付ける際、螺子部材９の螺子頭部13が目立たず、天井パネル８表面の凹凸が押さえられ、美観が向上するとともに、天井パネル８の表面に装飾用の布やパネルを張り付ける際の作業性と仕上がりが向上する。
【００４５】
また、本実施例では、螺子部材９は、皿型の頂部面12を有する螺子頭部13と、螺子軸10と、螺子軸10の基端側をラッパ状に拡開した頸部11とを備え、螺子穴保護具14は、貫通部16の周辺を下向きラッパ状に拡開させて、頸部11を係合可能に形成した係合部18を備えたことにより、頸部11が係合部18に係合することで、螺子穴保護具14と螺子部材９とがより一層一体的となり、この螺子穴保護具14を介して天井パネル８と螺子部材９がさらに一体的となるので、地震等の揺れに対しての螺子部材９と天井パネル８との間の動きをさらに規制して、螺子部材９に対して相対的に強度の低い天井パネル８が揺れて螺子部材９によって螺子穴８Ａが削られて破損するのを防ぐことができる。
【００４６】
また、本実施例では、頸部11を係合部18に係合させた状態で、頂部面12を保護具本体15の上面15Ａから非突出状態とすることにより、野縁部材１に螺子部材９を介して石膏ボード等の天井パネル８を螺子部材９によって取り付ける際、螺子部材９の螺子頭部13が目立たず、天井パネル８表面の凹凸が押さえられ、美観が向上するとともに、天井パネル８の表面に装飾用の布やパネルを張り付ける際の作業性と仕上がりが向上する。
【００４７】
また、本実施例では、野縁部材１に螺子穴保護具14を介して天井パネル８を螺子部材９によって取り付けた状態で、係止部17とともに係合部18の下端が天井パネル８に接触して螺子穴保護具14を保持可能に備えたことにより、係止部17と係合部18の下端とで螺子穴保護具14を保持することで、螺子穴保護具14の安定性が向上して、螺子部材９と天井パネル８の一体化がさらに図れる。
【００４８】
また、本実施例では、係止部17は、保護具本体15の周縁に形成された頂角を直角又は鋭角とする二等辺三角形状の突出片を折り曲げ部17Ａで略直角に折り曲げたものとすることにより、係止部17を簡単に加工することができる。
【００４９】
また、本実施例では、係止部17は、頂角を直角又は鋭角とする二等辺三角形に形成したものとすることにより、係止部17を天井パネル８に食い込みやすい形状をすることで、係止部17による天井パネル８への係止を容易にすることができる。
【００５０】
また、本実施例では、係止部17は、保護具本体15に対して互いに等間隔を有して形成されたものとすることにより、係止部17による荷重を分散させ、天井パネル８の破損を防ぐことができる。
【００５１】
また、本実施例では、係止部17の保護具本体15からの突出量Ｌ１は、天井パネル８の厚さＴより短いことにより、係止部17が天井パネル８を突き抜けて野縁部材１に干渉し、螺子穴保護具14が天井パネル８から浮き上がるのを防ぎ、螺子穴保護具14を天井パネル８に強固に固定することができる。
【００５２】
また、本実施例では、係止部17の保護具本体15からの突出量Ｌ１は、係合部18の保護具本体15からの突出量Ｌ２より大きく形成したものとすることにより、係止部17を天井パネル８に十分食い込ませことができ、螺子穴保護具14を天井パネル８に強固に固定することができる。
【００５３】
また、図５に螺子穴保護具の変形例の一例を示すが、保護具本体15の形状は円盤状に限定されず、図５（Ａ）に示す三角形、図５（Ｂ）に示す四角形、図５（Ｃ）に示す五角形、図５（Ｄ）に示す六角形、これら以外の多角形やこれらを組み合わせた形状としてもよいものとし、係止部17の位置、形状又は数についても、適宜変更可能である。
【００５４】
また、図６及び図７に示すように、螺子部材９の螺子軸10の表面に、木工用ボンド等による樹脂製の弾性部材19を設けておき、螺子部材９を天井パネル８に螺子込んでいくと、天井パネル８の表面に留まった弾性部材19が螺子頭部13と天井パネル８との間で潰された状態となる。さらに、螺子部材９を頂部面12が天井パネル８から非突出状態となるまで天井パネル８に螺子込んでいくと、弾性部材19は螺子部材９と螺子穴８Ａとの間で潰された状態となり、弾性部材19の弾性復元力によって、弾性部材19を介して螺子頭部13と天井パネル８が一体化する。これによって、簡単な構成でも、地震等の揺れによって螺子部材９に対して相対的に強度の低い天井パネル８が揺れて螺子穴８Ａが破損して、天井パネル８が脱落してしまうのを防ぐことができる。
【実施例２】
【００５５】
次に実施例２について図８を参照して説明する。尚、前記実施例１と同一部分には同一符号を付し、その詳細な説明を省略する。本実施例では、螺子軸10の表面に樹脂製の弾性部材19を設けた螺子部材９を用いて、螺子部材９の螺子軸10を螺子穴保護具14の貫通部16に挿通させて、天井パネル８に螺子部材９を螺子込んでいき、野縁部材１の下面１Ａを螺子軸10で貫通させて、螺子部材９を介して天井パネル８と野縁部材１とを螺子止めする。
【００５６】
ここで、頂部面12が保護具本体15の上面15Ａから非突出状態となるまで螺子部材９を天井パネル８に螺子込んでいくと、係合部18に留まった弾性部材19が螺子頭部13と係合部18との間で潰された状態となり、弾性部材19の弾性復元力によって、螺子穴保護具14が天井パネル８に押し付けられ、係止部17が天井パネル８により一層食い込むとともに、係合部18の下端も天井パネル８にさらに押し付けられ、螺子穴保護具14の天井パネル８への固定が強固なものとなり、弾性部材19を介して螺子頭部13と天井パネル８の一体化がさらに図れる。これによって、簡単な構成でも、地震等の揺れによって螺子部材９に対して相対的に強度の低い天井パネル８が揺れて螺子穴８Ａが破損して、天井パネル８が脱落してしまうのを防ぐことができる。尚、弾性部材19は係合部18の表面に設けられたものでも良いものとする。
【実施例３】
【００５７】
次に実施例３について図９〜図１１を参照して説明する。尚、前記実施例１と同一部分には同一符号を付し、その詳細な説明を省略する。本実施例の螺子穴保護具14では、係止部20を保護具本体15の周縁と係合部18の間でＶ字状の切溝21を保護具本体15の円周方向に所定間隔を有して等間隔に形成し、Ｖ字状の切溝21に囲まれた箇所を保護具本体15の下面15Ｂ方向へ略直角に折り曲げたものである。
【００５８】
ここで、Ｖ字状の切溝21における二等辺三角形状の頂角22の向きを保護具本体15の中心方向に向けている。
【００５９】
係止部20の保護具本体15の下面15Ｂからの突出量Ｌ３は、係合部18の保護具本体15の下面15Ｂからの突出量Ｌ２より大きく形成されている（Ｌ３＞Ｌ２）。
【００６０】
また、係止部20の突出量Ｌ３は、天井パネル８の厚みＴより小さく形成されている（Ｌ３＜Ｔ）。
【００６１】
本実施例では、前記係止部20は、保護具本体15に形成されたＶ字状の切溝21に囲まれた箇所を略直角に折り曲げたものとすることにより、係止部20を簡単に加工することができるとともに、係止部20を保護具本体15の外周より内側に収めることができるので、コンパクトな螺子穴保護具14を提供することができる。
【実施例４】
【００６２】
次に実施例４について図１２〜図１４を参照して説明する。尚、前記実施例１〜実施例３と同一部分には同一符号を付し、その詳細な説明を省略する。本実施例の螺子穴保護具14では、係止部20を保護具本体15の周縁と係合部18の間でＶ字状の切溝21を保護具本体15の円周方向に所定間隔を有して等間隔に形成し、Ｖ字状の切溝21に囲まれた箇所を保護具本体15の下面15Ｂ方向へ略直角に折り曲げたものである。
【００６３】
ここで、Ｖ字状の切溝21における二等辺三角形状の頂角22の向きを保護具本体15の放射方向に向けている。
【００６４】
尚、本考案は、本実施例に限定されるものではなく、本考案の要旨の範囲内で種々の変形実施が可能である。例えば、本実施例では、建築物の枠体を天井下地材である野縁部材とし、対象物を天井パネルとしたが、対象物を壁パネルとしてもよいものとする。また、螺子部材についても、本実施例では螺子頭部の形状が皿型のタッピンねじを例にして説明したが、螺子頭部の形状についても適宜変更可能である。
【符号の説明】
【００６５】
１  野縁部材（建築物の枠体）
８  天井パネル（対象物）
８Ａ  螺子穴
９  螺子部材
10  螺子軸
11  頸部
12  頂部面（頂部）
13  螺子頭部
14  螺子穴保護具
15  保護具本体
16  貫通部
17  係止部
17Ａ  折り曲げ部
18  係合部
【図１】
0003203818.tif 000003
【図２】
0003203818.tif 000004
【図３】
0003203818.tif 000005
【図４】
0003203818.tif 000006
【図５】
0003203818.tif 000007
【図６】
0003203818.tif 000008
【図７】
0003203818.tif 000009
【図８】
0003203818.tif 000010
【図９】
0003203818.tif 000011
【図１０】
0003203818.tif 000012
【図１１】
0003203818.tif 000013
【図１２】
0003203818.tif 000014
【図１３】
0003203818.tif 000015
【図１４】
0003203818.tif 000016
【手続補正書】
【提出日】平成28年2月10日(2016.2.10)
【手続補正１】
【補正対象書類名】実用新案登録請求の範囲
【補正対象項目名】請求項１２
【補正方法】変更
【補正の内容】
【請求項１２】
前記係止部の前記保護具本体からの突出量は、前記係合部の前記保護具本体からの突出量より大きいことを特徴とする請求項２〜６のいずれか１項に記載の螺子穴保護具。